(57)【要約】      （修正有）【課題】クッション材の劣化に容易に対応することができる農産物の選別装置を提供する。【解決手段】トマトの選別装置であって、トマトＴが移動するキャリアローラー１１２と、キャリアローラーの側方に設けられたコンベヤフレーム１１１およびクッションシート１１５を備え、クッションシートはコンベヤフレームに対して着脱可能に取り付けられている。【選択図】図２
0003231493.tif 000002
【実用新案登録請求の範囲】
【請求項１】
農産物が移動する移動部と、
前記移動部の周囲に設けられた基部と、
前記基部に対して着脱可能に設けられたクッションシートと、
を備える、農産物の選別装置。
【請求項２】
前記基部およびクッションシートは、前記移動部の側方に設けられていることを特徴とする、請求項１に記載の選別装置。
【請求項３】
前記基部と前記クッションシートは面ファスナーによって着脱可能であることを特徴とする、請求項１また請求項２に記載の農産物の選別装置。
【請求項４】
前記基部は、前記移動部に向かって下方に傾斜する斜面を有し、
前記クッションシートは、前記斜面上に配設されていることを特徴とする、請求項１から請求項３のいずれか１項に記載の農産物の選別装置。
【請求項５】
前記基部は、前記移動部から下方に傾斜する斜面を有し、
前記クッションシートは、前記斜面上に配設されていることを特徴とする、請求項１から請求項３のいずれか１項に記載の農産物の選別装置。
【請求項６】
前記基部は、前記移動部に沿って水平に延在する水平面を有し、
前記クッションシートは、前記水平面上に配設されていることを特徴とする、請求項１から請求項３のいずれか１項に記載の農産物の選別装置。
【請求項７】
前記基部は、前記移動部に向かって垂直に延在する垂直面を有し、
前記クッションシートは、前記垂直面上に配設されていることを特徴とする、請求項１から請求項３のいずれか１項に記載の農産物の選別装置。
【請求項８】
前記移動部は、仕分けられた前記農産物がプールされながら順次移動されるプール部であり、
前記基部は、前記プール部を囲うように設けられていることを特徴とする、請求項１から請求項３のいずれか１項に記載の農産物の選別装置。
【考案の詳細な説明】
【技術分野】
【０００１】
本考案は、農産物の選別装置に関するものである。
【背景技術】
【０００２】
農産物の集出荷施設では、集荷した農産物をその外観や内部の品質に応じて選別する選別装置が用いられている。この農産物の選別装置は、集荷した農産物を順次搬送するコンベヤと、当該コンベヤの搬送経路に設けられた検査装置と、検査装置によって判定された農産物の等階級に応じて農産物を仕分ける仕分けコンベヤと、を備えている。
【０００３】
上記のような選別装置における農産物の搬送方式としては、コンベヤに非連結のフリートレイに農産物を一つずつ乗せて搬送する方式、ベルトコンベヤやローラーコンベヤ１１０に農産物を直接乗せて搬送する方式などが用いられている。
【０００４】
ここで、例えば、コンベヤベルトやローラーなどの搬送面に農産物を直接乗せて搬送する方式においては、その搬送過程において、搬送面や他の農産物から受ける衝撃によって農産物が搬送面から逸脱してコンベヤフレームに衝突し、農産物が損傷する恐れがある。また、トレイ式やバケット式の搬送方式であっても、搬送過程においてトレイやバケットに加わる衝撃によってトレイやバケットに乗せられた農産物が飛び出して同様に損傷する恐れがある。この様に、農産物とコンベヤフレームの衝突による損傷に対する対策として、コンベヤフレームにクッション材を取り付けることが考えられる。
【先行技術文献】
【特許文献】
【０００５】
【特許文献１】特開２０００−９４４６号公報
【考案の概要】
【考案が解決しようとする課題】
【０００６】
コンベヤフレームに取り付けられたクッション材によって農産物に加わる衝撃が緩和されるので、農産物の損傷を防止することができる。しかしながら、頻繁に農産物がクッション材に衝突したり、長い期間コンベヤフレームに取り付けられることによってクッション材が劣化することとなり、劣化したクッション材では農産物の損傷を防止することが困難となっている。
【０００７】
上記の課題に鑑み、本考案は、クッション材の劣化に容易に対応することができる農産物の選別装置を提供することを目的とする。
【課題を解決するための手段】
【０００８】
上記目的を達成するため、本考案の農産物の選別装置は、農産物が移動する移動部と、前記移動部の周囲に設けられた基部と、前記基部に対して着脱可能に設けられたクッションシートと、を備える。
【０００９】
また、前記基部およびクッションシートは、前記移動部の側方に設けられていることを特徴とする。
【００１０】
また、前記基部と前記クッションシートは面ファスナーによって着脱可能であることを特徴とする。
【００１１】
また、前記基部は、前記移動部に向かって下方に傾斜する斜面を有し、前記クッションシートは、前記斜面上に配設されていることを特徴とする。
【００１２】
また、前記基部は、前記移動部から下方に傾斜する斜面を有し、前記クッションシートは、前記斜面上に配設されていることを特徴とする。
【００１３】
また、前記基部は、前記移動部に沿って水平に延在する水平面を有し、前記クッションシートは、前記水平面上に配設されていることを特徴とする。
【００１４】
また、前記基部は、前記移動部に向かって垂直に延在する垂直面を有し、前記クッションシートは、前記垂直面上に配設されていることを特徴とする。
【００１５】
また、前記移動部は、仕分けられた前記農産物がプールされながら順次移動されるプール部であり、前記基部は、前記プール部を囲うように設けられていることを特徴とする。
【考案の効果】
【００１６】
本考案の農産物の選別装置は、クッション材の劣化に容易に対応することができる。
【図面の簡単な説明】
【００１７】
【図１】本考案の実施形態に係る選別装置の概略図。
【図２】（ａ）上記選別装置の供給部および判定部上流の平面図、（ｂ）供給部を上流側側面から見た図、（ｃ）判定部を上流側から見た図、（ｄ）クッションシートの裏面図
【図３】（ａ）上記選別装置の仕分部の平面図、（ｂ）仕切部のＡ−Ａ断面図、（ｃ）仕分部の壁部のＢ−Ｂ断面図、（ｄ）仕分部のチルト式コンベヤの一部断面図
【考案を実施するための形態】
【００１８】
本考案の実施形態に係る選別装置１は、トマトＴを等階級別に選別する選別装置であって、図１に示すように、供給部１００、判定部２００、及び仕分部３００を備えている。
【００１９】
供給部１００は、トマトＴを供給する部分であり、図２に示すローラーコンベヤ１１０を備えている。ローラーコンベヤ１１０は、並行に延出する一対のコンベヤフレーム１１１と、当該一対のコンベヤフレーム１１１の間に架け渡され、コンベヤフレーム１１１に対して直角に並列配置された複数のキャリアローラー１１２と、を備えている。各キャリアローラー１１２の一端には、スプロケット（不図示）が設けられており、各スプロケットにかけ渡された駆動チェーン（不図示）が回転することによって、各キャリアローラー１１２が所定の方向に回転する構成となっている。当該ローラーコンベヤ１１０上にトマトＴが乗せられると、トマトＴは各キャリアローラー１１２の回転によって順次送られ、判定部２００へと移動する。この様に、ローラーコンベヤ１１０のキャリアローラー１１２はトマトＴを移動させる移動部として機能しており、複数のキャリアローラー１１２が並列配置されることにより、各キャリアローラー１１２のローラー面が連続する搬送面を形成している。そして、当該搬送面を有する移動部の側方に設けられた一対のコンベヤフレーム１１１は側部を構成している。
【００２０】
判定部２００は、供給部１００から搬送されてきたトマトＴを搬送しながら外観品質及び内部品質を判定する部分である。当該判定部２００には、上記供給部１００のローラーコンベヤ１１０と直交するように設けられたベルトコンベヤ２１０と、当該ベルトコンベヤ２１０の下流に設けられたチルト式コンベヤ２２０（図３）と、が設けられている。ベルトコンベヤ２１０は、供給部１００から供給されたトマトＴを単列搬送するコンベヤであり、一対の搬送ベルト２１１ａ，２１１ｂがＶ字を形成するように設けられている。一方の搬送ベルト２１１ａは他方の搬送ベルト２１１ｂよりも搬送スピードが速く駆動されているため、複数のトマトＴが一対の搬送ベルト２１１ａ，２１１ｂ上に並んで投入された場合には、一方の搬送ベルト２１１ａ側に乗っているトマトＴが前方に移動することで単列搬送されることとなる。このようにベルトコンベヤ２１０の搬送ベルト２１１ａ，２１１ｂはトマトＴを移動させる移動部として機能しており、搬送ベルト２１１ａ，２１１ｂの表面は搬送面として機能している。当該ベルトコンベヤ２１０によって単列搬送されたトマトＴはチルト式コンベヤ２２０の各載置部２２１（図３）に順次乗せられて搬送される。
【００２１】
チルト式コンベヤ２２０は、複数の載置部２２１が無端状に連結されたコンベヤであって、各載置部にトマトＴを一つずつ載せて搬送する。このようにチルト式コンベヤ２２０の複数の載置部２２１はトマトＴを移動させる移動部として機能している。また、複数の載置部２２１においてトマトＴが載置される面はトマトＴを搬送する搬送面として機能している。
【００２２】
判定部２００には、図１に示すように、上記のチルト式コンベヤ２２０の搬送経路上に外観品質測定装置２０１および内部品質測定装置２０２が設けられている。外観品質測定装置２０１は、トマトＴの形状や色などの外観品質を測定する装置であって、例えば、搬送されているトマトＴを上方から撮影するカメラ（不図示）と、当該カメラによって生成された画像を解析してトマトＴの外観品質を測定するコンピュータ（不図示）と、を備えている。内部品質測定装置２０２は、トマトＴの糖度や酸度などの内部品質を測定する装置であって、搬送されているトマトＴに特定波長の光を照射する光源（不図示）と、トマトＴを透過した光を受光するファイバー（不図示）と、ファイバーから出た光を分光する分光器（不図示）と、当該分光器によって分光された光の強度を測定する測定装置（不図示）と、測定された光の強度に基づいてトマトＴの内部品質を測定するコンピュータ（不図示）と、を備えている。上記の外観品質測定装置２０１及び内部品質測定装置２０２の測定結果を受信したメインコンピュータ（不図示）によってトマトＴの等階級が判定される。
【００２３】
上記のチルト式コンベヤ２２０は仕分部３００に延出している。仕分部３００は、上記の判定部２００において判定された等階級に基づいて、トマトＴを仕分ける部分である。当該仕分部３００には、上記チルト式コンベヤ２２０と、チルト式コンベヤ２２０に沿って設けられた複数の排出部３１０と、を備えている。複数の排出部３１０はトマトＴの等階級別に設けられており、チルト式コンベヤ２２０は判定された等階級に対応する排出部３１０に対して載置部２２１を傾動させてトマトＴを排出する。これによりトマトＴが等階級別に選別され、選別されたトマトＴは等階級ごとに箱詰めされて出荷される。
【００２４】
ここで、本実施形態では供給部１００、判定部２００、及び仕分部３００の各構成にクッション材が着脱可能に設けられている。
【００２５】
供給部１００のクッション材は、搬送面を構成する搬送ローラー１１２に向かって傾斜する法面状に形成されたコンベヤフレーム１１１（基部）の表面（上面）に配設されているクッションシート１１５である。具体的には、コンベヤフレーム１１１は、搬送面を構成する複数の搬送ローラー１１２に沿って延在し当該搬送面に向かって傾斜する傾斜部１１３と、傾斜部１１３の上端から外側に水平に延在する水平部１１４と、を含む。傾斜部１１３および水平部１１４は帯状の上面を有しており、これら上面と同じ形状（帯状）に形成されたクッションシート１１５が着脱可能に設けられる。クッションシート１１５は、例えば、厚さが５ｍｍ程度のゴム製のシートや、発泡シートであり、面ファスナー１１６を用いてコンベヤフレーム１１１の傾斜部１１３及び水平部１１４に取り付けられている。面ファスナー１１６は、テープ状であり、ループ型の面ファスナー１１６がクッションシート１１５の裏面に取り付けられ、フック型の面ファスナー１１６がコンベヤフレーム１１１の傾斜部１１３及び水平部１１４に設けられている。
【００２６】
判定部２００のクッション材は、搬送面を構成するコンベヤベルト２１１ａ，２１１ｂと同程度の高さとなるように、コンベヤフレーム２１２（基部）の表面（上面）に水平に設けられているクッションシート２１４である。具体的には、コンベヤフレーム２１２は、コンベヤベルト２１１ａ，２１１ｂに沿って水平に延在する水平部２１５を有しており、水平部２１５の上面に帯状に形成されたクッションシート２１４が面ファスナーを介して着脱可能に取り付けられている。クッションシート２１４および面ファスナーは、上記供給部１００のクッションシート１１５および面ファスナー１１６と同様のものが用いられている。
【００２７】
判定部２００は、更に、コンベヤフレーム２１２から垂直に立設された壁面２３０に設けられたクッションシート２３１を備える。具体的には、ベルトコンベヤ２１０の上流部において、供給部１００のローラーコンベヤ１１０と交差する部分に垂直な壁面２３０が設けられている。壁面２３０は、トマトＴが供給部１００のローラーコンベヤ１１０から排出されたトマトＴが、その勢いでベルトコンベヤ２１０上から落下することを防止するものであり、ベルトコンベヤ２１０においてローラーコンベヤ１１０とは反対側の側部であるコンベヤフレーム２１２に設けられている。この様な壁面２３０に対して、クッションシート２３１が面ファスナーを介して取り付けられている。クションシート２３１および面ファスナーは、上記供給部１００のクッションシートおよび面ファスナー１１６と同様のものが用いられている。
【００２８】
仕分部３００のクッション材は、図３に示すように、チルト式コンベヤ２２０において搬送面を構成している載置部２２１から傾斜する様に設けられたシュート２２２の表面に配設されているクッションシート２２３である。具体的には、シュート２２２は、複数の載置部２２１に沿って延在し、チルト式コンベヤ２２０の側方に設けられた複数の排出部３１０に向かって下方に傾斜した傾斜面２２４を備えている。当該傾斜面２２４の表面に帯状に形成されたクッションシート２２３が面ファスナーを介して着脱可能に取り付けられている。当該クッションシート２２３および面ファスナーは、上記供給部１００のクッションシート１１５および面ファスナー１１６と同様のものが用いられている。この様に傾斜面２２４上にクッションシート２２３が設けられることで、チルト式コンベヤ２２０から排出されたトマトＴが落下する際の衝撃がクッションシート２２３で緩和され、クッションシート２２３上を下って排出部３１０に投入される。
【００２９】
また、仕分部３００の排出部３１０にもクッション材が設けられている。具体的には、排出部３１０の各々は、チルト式コンベヤ２２０から作業者Ｗ（図１）の手前に向かって形成されているプール部３１１と、各プール部３１１を仕切る仕切部３１２と、プール部３１１の出口に設けられた壁部３１３と、から構成されている。プール部３１１はチルト式コンベヤ２２０から排出されたトマトＴが移動する移動部として機能している。仕切部３１２および壁部３１３は、移動部の側方に設けられた側部として機能しており、プール部３１１を囲うように設けられており、その表面にはクッションシート３１４，３１５が設けられている。仕切部３１２のクッションシート３１４は、仕切部３１２の基部３１６に対して着脱可能に面ファスナーを介して取り付けられている。壁部３１３のクッションシート３１５は、壁部３１３の基部３１７に対して着脱可能に面ファスナーを介して取り付けられている。
【００３０】
本実施形態のトマトＴの選別装置１では、仕分部１００、供給部２００、仕分部３００の各々に設けられたクッション材によりトマトＴに加わる衝撃を緩和することができる。そして、当該クッション材が劣化した場合には、当該クッション材は基部に対して面ファスナー１６を介して着脱可能に取り付けられているので、交換が容易である。
【００３１】
上記の実施形態は、面ファスナー１６を用いて、クッション材を基部に対して着脱可能に設ける態様であったが、当該態様に限られない。例えば、一般的には、コンベアフレームは金属で形成されているため、クッション材の裏面に磁石を取り付けてクッション材を基部に対して着脱可能に設けても構わない。また、基部とクッション材に５ｍｍ程度の穴を開設し、基部とクッション材の穴に挿入されてクッション材を基部に対して取り付けるプラスチック製の釘であっても構わない。
【符号の説明】
【００３２】
１      選別装置
１１１      コンベヤフレーム（基部）
１１２      キャリアローラー（移動部）
１１５      クッションシート
２１２      コンベヤフレーム（基部）
２１１ａ，２１１ｂ      搬送ベルト（移動部）
２１５      クッションシート
２２０      チルト式コンベヤ（移動部）
２２２      コンベヤフレーム（基部）
２２３      クッションシート
３１１      プール部（移動部）
３１４      クッションシート
３１５      クッションシート
３１６      基部
３１７      基部
【図１】
0003231493.tif 000003
【図２】
0003231493.tif 000004
【図３】
0003231493.tif 000005